(57)【特許請求の範囲】
【請求項１】
果樹園等の防護区域を包囲する囲い網と、該囲い網の開放頂面を覆う天井網とを組合わせたものに於いて、
前記囲い網３の上端に、所定高さ寸法の虫返し片３Ａを連接し、該虫返し片３Ａを防護区域の外側に折り下げて、前記囲い網３との間に虫返し用間隙ａを形成させたことを特徴とする果樹園等用の防護網。
【請求項２】
前記虫返し用間隙ａを形成させるのに役立つ、所定太さの紐状体４を、前記囲い網３の折り下げ個所の内側に沿って固着したことを特徴とする請求項１記載の果樹園等用の防護網。
【発明の詳細な説明】
【０００１】
【発明の属する技術分野】
本発明は、果樹園、茶園、花卉栽培圃場等の防護区域の外周りを包囲する囲い網と、その開放頂面に覆せる天井網との組合わせから成り、防鳥、防虫等の為に用いる果樹園等用の防護網に関する。
【０００２】
【従来の技術】
従来の上記防護網は、防護区域の面積より幾分大きく作られた天井網の周縁部を、囲い網の外側に垂下させることによって、囲い網の上端と天井網との間に生ずる隙間を覆ぎ、この隙間から害虫等が侵入しない様にしていた。
【０００３】
【発明が解決しようとする課題】
然しながら、上記の隙間を、単に、天井網の垂下周縁部で覆っただけでは、囲い網に沿って登って来た蛾やカメムシ等の害虫は、そのまま囲い網の上端の隙間に達することが出来るので、防護区域内への侵入防止効果は殆ど得られなかった。
【０００４】
そこで、本発明の目的は、囲い網の上端と天井網とが接する箇所に生じた隙間から、害虫が侵入するのを確実に防げる様に改良した果樹園等用の防護網を提供するにある。
【０００５】
【課題を解決するための手段】
上記の目的を達成する為の、本発明による果樹園等用の防護網は、
果樹園等の防護区域を包囲する囲い網と、該囲い網の開放頂面を覆う天井網とを組合わせたものに於いて、
前記囲い網３の上端に、所定高さ寸法の虫返し片３Ａを連接し、該虫返し片３Ａを防護区域の外側に折り下げて、前記囲い網３との間に虫返し用間隙ａを形成させたことを特徴とする。
そして、前記虫返し用間隙ａを形成させるのに役立つ、所定太さの紐状体４を、前記囲い網３の折り下げ個所の内側に沿って固着したことも特徴とする。
【０００６】
【発明の実施の形態】
以下に、本発明を果樹園用の防護網に適用した一実施例に就いて、図面を参照しながら説明する。
図３に示した様に、防護区域Ａとしての果樹園の敷地周りには、所定間隔を隔てて主支柱２１を斜め外向きに立設し、防護区域Ａ内には、主支柱２１の配置間隔に対応した間隔を隔て、中間支柱２２を碁盤目状の配置で立設している。
２３は果樹の栽培棚で、各主支柱２１及び中間支柱２２の上方寄りの高さ箇所に、格子状の配置で張り巡らした線材群で構成されている。
【０００７】
各主支柱２１及び中間支柱２２の頂端間には、防護区域Ａの上面を覆う天井網１を受支持する為の網受棚２を、栽培棚２３と同様にして張設している（図１参照）。
【０００８】
各主支柱２１間には、防護区域Ａを包囲する囲い網３を張り巡らしている。
この囲い網３の背丈は、中間支柱２２の高さより、所定寸法だけ高く作られている。
そして、図２に示した様に、この余分の高さ部分（例えば、２５ｃｍ前後）は、囲い網３の外側に折り下げて虫返し片３Ａとし、この虫返し片３Ａと囲い網３との間に虫返し用間隙ａを形成させている。
【０００９】
この虫返し片３Ａは、囲い網３に沿って登って来た害虫が、囲い網３の上端と天井網１との隙間から、防護区域Ａ内に侵入するのを防ぐ役割を果すものである。
囲い網３の折り下げ箇所には、この折り目に沿わせて、補強用のロープ（引紐状体）４を固着している。
このロープ４は、虫返し片３Ａと囲い網３との間に、所望幅の虫返し片用隙間ａを形成させるにも役立つものである。
【００１０】
天井網１は、その四辺が網受棚２の外側に幾分はみ出る大きさに作り、はみ出し部分が囲い網３の外側に垂れ下がる様にしている。
この垂下部分が、主支柱２１と干渉する夫々の箇所には、図１に示した様に、切れ目１ａを設けると共に、この切れ目１ａの両縁にはファスナー５を取着して、切れ目１ａを開閉自在に閉ざせる様にしている。
【００１１】
天井網１は、防護区域Ａの広さに応じて、１枚続きにしてもよいし、防護区域Ａの各一半部分づつを覆う様に２枚に分けて作り、互いに接離動する様に開閉させてもよい。
２枚に分けた場合には、その突き合わせ縁端同士を、ファスナーや係止金具（図示略）によって係脱自在に連結させる。
【００１２】
防護区域Ａを挟んで対向する各１組の主支柱２１，２１間には、天井網１を開閉させる引紐６を、各主支柱２１の頂端に設けた通し輪２４に挿通させた状態で張設している。
この引紐６の長さは、対向主支柱２１，２１間の間隔よりかなり長く、その両側部分は夫々地上に垂れ下がらせている。
尚、天井網１が比較的小さくて軽い場合には、通し輪２４は必ずしも必要としない。
【００１３】
更に、天井網１には、図１に示した様に、各引紐６の直下の所定間隔を隔てた複数箇所に、引紐６を挿通させる紐通し環７を点綴状に取着している。
各紐通し環７に挿通させた夫々の引紐６の中間箇所は、図１の右側に示した様に、天井網１の開閉始端ｂに固着させている。或は、天井網１の左端側を開閉始端ｂとしてもよい。
【００１４】
図示は省いたが、天井網１には、紐通し環７の取付箇所を補強する為の補強紐等を、各引紐６の直下箇所に配設して置くとよい。
そして、天井網１が２枚に分けて作られている場合には、各天井網１を個別に開閉させる為の、２本で１組の引紐６が必要になる。
【００１５】
次に、防護網の使い方を説明する。
天井網１は、少なくとも、果実の着果から成熟に至る迄の期間は、害虫や鳥から防護する為に、或は、日除け等の目的で網受棚２上に展張させて置く。
然し、この期間中に若し台風が襲来した場合には、網目が細かくて通風抵抗の大きい天井網１を網受棚２上から取り外さないと、風に吹き飛ばされたり破損して大きな損害を被ることになる。
【００１６】
然し、現実には、この取外しは簡単には行えない。そこで、この装置では、網受棚２上載置されてカーテン状に水平方向に開閉自在の天井網１を、図３に示した様に、防護区域Ａの縁端箇所に手繰り寄せることになる。
【００１７】
これを行うには、先ず、天井網１の四辺のうち、天井網１を手繰り寄せる側の辺を除く、三方の辺から夫々垂れ下がった部分に設けてある各ファスナー５を開いて、各主支柱２１が天井網１の開閉を妨げない様にする。
又、天井網１が２枚合わせの場合には、その連結用ファスナーや連結金具の係合も解除する。
【００１８】
然る後、防護区域Ａの左右両端に夫々垂れ下がっている引紐６の左端側を、図３中に実線で矢示した様に引っ張ると、その開閉始端ｂを引紐６に連結されている天井網１は、丁度、部屋のカーテンの開閉始端を引っ張って開閉させるのと同じ様にして、天井網１の全体を防護区域Ａの左端箇所に手繰り寄せることが出来る。
この手繰り寄せた天井網１は、束ねた状態で、固定紐（図示略）を使って主支柱２１や網受棚２等に括り付けてしっかり固定させる。
【００１９】
所定間隔を隔てて並列状に配置した複数条の引紐６は、複数人で同時に引いてもよいし、１人だけで、各引紐６を順番に少しづつ引っ張る方法を採ることも出来る。
台風の通過後に、天井網１を再び展張させる時には、今度は、図３の右側に破線で矢示した様に、引紐６の右側端を引っ張ればよい。
【００２０】
天井網１を展張し終えたら、各ファスナー５を再び閉ざす。又、図示は省いたが、天井網１の要所々々に取着してある括り紐を、網受棚２、主支柱２１、中間支柱２２等に括り付ける等して、強風に煽られない様にする。
【００２１】
この様にして、囲い網３の開放上面を天井網１で覆った状態で、囲い網３の上端箇所の外側には、この上端に連設した虫返し片３Ａを折り下げて形成させた、虫返し用間隙ａが周設されている。
この虫返し用間隙ａが、防護区域内への蛾やカメムシ等の害虫の侵入を防ぐ効果に就いて、実証の為の観察を幾つかの地域で行ったところ、いずれの地域でも略確実に害虫の侵入を防げることが解った。
【００２２】
即ち、囲い網３の外側に沿って登って来た害虫は、虫返し用間隙ａの行き止まり箇所に突っ込んだ状態で死んでいた。
恐らく、害虫は、この狭い間隙の中では方向転換がままならず、後戻りして虫返し片３Ａの外側に廻り込んで、天井網１との隙間に達することが出来なかったと思われる。
【００２３】
上記実施例では、囲い網３と虫返し片３Ａとを一体化させているが、夫々を同質又は異質の材料で別体に作り、囲い網３と、虫返し片３Ａと、補強用のロープ４とを、熱融着手段等によって一挙に接合々体させる等してもよい。
【００２４】
【発明の効果】
以上の説明によって明らかな様に、本発明による果樹園等用の防護網は、
所要高さより幾分背丈の高い囲い網２の上端部を、外向きに折り下げるという、極めて簡単な加工を施すだけで、囲い網に沿って登って来た害虫が、囲い網と天井網との間の隙間に到達して防護区域に侵入するのを確実に防げる。
【図面の簡単な説明】
【図１】本発明を果樹園に適用した一実施例を示すもので、果樹園に防護網を設置した状態の要部の斜視図である。
【図２】同上、防護網の要部の縦断面図である。
【図３】同上、防護網を設置した果樹園全体の正面図である。
【符号の説明】
Ａ  防護区域
１  天井網
２  網受棚
３  囲い網
３Ａ  虫返し片
４  ロープ（紐状体）
５  ファスナー
６  引紐
７  紐通し環
ａ  虫返し用間隙
ｂ  開閉始端
２１  主支柱
２２  中間支柱
２３  栽培棚
２４  通し輪
【図１】
0003625968.tif 000002
【図２】
0003625968.tif 000003
【図３】
0003625968.tif 000004